(57)【要約】【課題】シール等をガスメータに貼ることなく、ガスメータ自身の外観で、ガス流量に応じたパルスの出力要求に対応しているガスメータであるか否かを作業者等にとって識別可能なガスメータを提供する。【解決手段】検出したガスの流量に応じた検出信号を出力する流量検出手段５１と、検出信号に基づいてガスの流量を算出する制御手段と、制御手段が算出したガスの流量に関する情報を表示する表示手段１ｃと、制御手段が算出したガスの流量に応じたパルスを出力するパルス出力手段と、を有し、制御手段は、パルス出力手段を動作状態または停止状態のいずれかに設定可能であり、パルス出力手段を動作状態に設定している場合は、表示手段１ｃのいずれかの位置（識別情報表示部２１）にパルス出力手段が動作状態であることを示すパルス動作状態情報を表示する。【選択図】図２
2015078907.tif 000002
【特許請求の範囲】
【請求項１】
検出したガスの流量に応じた検出信号を出力する流量検出手段と、
前記検出信号に基づいてガスの流量を算出する制御手段と、
前記制御手段が算出したガスの流量に関する情報を表示する表示手段と、
前記制御手段が算出したガスの流量に応じたパルスを出力するパルス出力手段と、
を有し、
前記制御手段は、前記パルス出力手段を動作状態または停止状態のいずれかに設定可能であり、
前記制御手段は、前記パルス出力手段を動作状態に設定している場合は、前記表示手段のいずれかの位置に前記パルス出力手段が動作状態であることを示すパルス動作状態情報を表示する、
ガスメータ。
【請求項２】
請求項１に記載のガスメータであって、
前記制御手段は、
前記パルス出力手段を動作状態に設定している場合、
所定量のガスを検出する毎に前記パルス出力手段を介してパルスを出力し、
前記所定量として、予め設定された複数の中から１つを選択し、
予め設定された複数の中からいずれの所定量を選択したかを識別可能な識別情報を前記パルス動作状態情報として表示する、
ガスメータ。
【発明の詳細な説明】
【技術分野】
【０００１】
本発明は、検出したガスの流量に応じてパルスを出力するガスメータに関する。
【背景技術】
【０００２】
近年、一般家庭内において、電力消費量、発電量、蓄電量、放電量、売電量、買電量を総合的に管理および表示等行うＨＥＭＳ（Ｈｏｍｅ  Ｅｎｅｒｇｙ  Ｍａｎａｇｅｍｅｎｔ  Ｓｙｓｔｅｍ）が普及しつつある。ＨＥＭＳでは、さらに、一般家庭で消費される電気エネルギー以外のエネルギーとして、ガス消費量も管理および表示しようとしている。したがって、ガスメータは、ＨＥＭＳに対してガスの流量に応じたパルス出力を要求されている。
【０００３】
なお、特許文献１には、ガス消費量をＬＣＤ表示部に表示させるガスメータが開示されている。
【先行技術文献】
【特許文献】
【０００４】
【特許文献１】特開２００９−１８６４３２号公報
【発明の概要】
【発明が解決しようとする課題】
【０００５】
特許文献１に開示されているガスメータはガスの流量に応じたパルスを出力するパルス出力手段を有していない。したがって、パルス出力手段の出力先が要求する出力に対応するために、新たにパルス出力手段を備える必要がある。しかし、すべての一般家庭で、パルス出力手段を備えて動作状態に設定されたガスメータが要求されているわけではない。したがって、ガスメータ製造工場では、流量パルス出力対応版のガスメータと、流量パルス出力非対応版のガスメータとの双方が、並行して製造されている。しかし、流量パルス出力対応版のガスメータと、流量パルス出力非対応版のガスメータとの双方が、同じ外観をしており、流量パルス出力対応版のガスメータと、流量パルス出力非対応版のガスメータとの区別がつかない。
そこで、ガスメータ製造工場内では、識別情報を記載したシールをガスメータに貼ることにより、作業者や識別情報認識装置（以下、作業者等と記載する）が流量パルス出力対応版のガスメータと、流量パルス出力非対応版のガスメータとを識別できるようにしている。
ところが、シールははがれてしまう事もあり、その場合、ガス流量に応じたパルスの出力要求に対応しているガスメータ（流量パルス出力対応版のガスメータ）であるか否かを、作業者等が識別不能となってしまう。
また、一般家庭におけるガスメータの据付現場において、例えば作業者が流量パルス出力対応版のガスメータを据付けなければならない場合、識別情報の記載されたシールがはがれていると、作業者は、当該ガスメータが流量パルス出力対応版のガスメータであるか否かを判断できない。このような場合、作業者は再度流量パルス出力対応版のシールが貼られたガスメータを入手して据付けなければならないので、作業効率が悪い。
【０００６】
本発明は、このような点に鑑みて創案されたものであり、シール等をガスメータに貼ることなく、ガスメータ自身の外観で、ガス流量に応じたパルスの出力要求に対応しているガスメータであるか否かを作業者等にとって識別可能なガスメータを提供することを課題とする。
【課題を解決するための手段】
【０００７】
上記課題を解決するため、本発明に係るガスメータは次の手段をとる。
まず、本発明の第１の発明は、検出したガスの流量に応じた検出信号を出力する流量検出手段と、前記検出信号に基づいてガスの流量を算出する制御手段と、前記制御手段が算出したガスの流量に関する情報を表示する表示手段と、前記制御手段が算出したガスの流量に応じたパルスを出力するパルス出力手段と、を有し、前記制御手段は、前記パルス出力手段を動作状態または停止状態のいずれかに設定可能であり、前記制御手段は、前記パルス出力手段を動作状態に設定している場合は、前記表示手段のいずれかの位置に前記パルス出力手段が動作状態であることを示すパルス動作状態情報を表示するガスメータである。
【０００８】
この第１の発明によれば、ガスメータに表示手段が設けられ、ガスメータの表示手段に（ＨＥＭＳ等の出力要求に対応している）パルス出力手段が動作状態または停止状態のいずれになっているかが表示される。これにより、ガスメータ自身の外観から該ガスメータのパルス出力手段が動作状態または停止状態のいずれになっているかについてのパルス動作状態情報を、作業者等が識別可能である。すなわち、本発明はシール等をガスメータに貼ることなく、ガスメータ自身の外観で、ガス流量に応じたパルスの出力要求に対応しているガスメータであるか否かを作業者等にとって識別可能なガスメータを提供できる。
【０００９】
次に、本発明の第２の発明は、上記第１の発明に係るガスメータであって、前記制御手段は、前記パルス出力手段を動作状態に設定している場合、所定量のガスを検出する毎に前記パルス出力手段を介してパルスを出力し、前記所定量として、予め設定された複数の中から１つを選択し、予め設定された複数の中からいずれの所定量を選択したかを識別可能な識別情報を前記パルス動作状態情報として表示する。
【００１０】
この第２の発明によれば、作業者等は、ガスメータ自身の外観の一部である表示手段に表示されているパルス動作状態情報を確認することで、ガス流量に応じたパルスの出力要求に対応しているガスメータであるか否かを識別可能である。より具体的には、作業者等は、パルス動作状態情報を確認するだけで、パルス出力手段が動作状態に設定されているか否か、および、いずれの所定量毎にパルスを出力するのか、を確実に判断することができる。
【図面の簡単な説明】
【００１１】
【図１】本発明のガスメータの斜視図である。
【図２】本発明のガスメータの表示手段等を示す正面図である。
【図３】本発明のガスメータのパルス出力端子部等を示す斜視図である。
【図４】本発明のガスメータのガス流量計測部の断面図であり、図２のＡ−Ａ断面図である。
【図５】本発明のガスメータの制御ブロック図とＨＥＭＳのブロック図である。
【図６】本発明のガスメータからのパルス出力におけるパルスレートの例を説明する図である。
【発明を実施するための形態】
【００１２】
以下に本発明を実施するための形態を、図面を用いて説明する。
●［ガスメータの外観（図１〜図４）］
図１乃至図４を用いて、本実施の形態におけるガスメータ１の外観の例を説明する。
図１、図２に示すように、ガスメータ１は略矩形の箱状であり、ガスを吸入するガス流入口１ａと、ガスを排出するガス流出口１ｂとが、ガスメータ１の上部の左右両側に突出するように設けられている。図２に示すように、ガス流入口１ａからガス流出口１ｂに至るガスメータ内のガスの流路４０は、略Ｕ字形状に形成されている。当該略Ｕ字形状のガスの流路４０の下端部には図４に示す計測管４２および流量検出手段５１等を有している。
図４は、本発明のガスメータのガス流量計測部の断面図であり、図２のＡ−Ａ断面図である。計測管４２の内部には導通路４５が形成されている。導通路４５には単数または複数の整流板４４と、ガス流量を検出するために流入ガスの進行方向に対して所定の傾斜角度θを有するように一対で配置された流量検出手段５１と、が設けられている。
【００１３】
図２に示すようにガスメータ１の正面における手前側中央上部には、表示手段１ｃ（例えばＬＣＤパネル）が設けられており、図２では、この表示手段１ｃを拡大表示している。
流量検出手段５１およびＣＰＵ（制御手段であり、図示省略）において検出された流量は、表示手段１ｃに表示される。また、表示手段１ｃは、ガス消費量（立方メートル）の表示部である流量表示部２２の右上隅に、ガス流量に応じた出力パルスが動作状態または停止状態のいずれに設定されているか、および、いずれのパルスレートに設定されているか、を示すパルス動作状態情報を追加表示できる識別情報表示部２１を備えている。
なお、パルスレートの詳細については後述する。
このように表示手段１ｃには、ガス消費量が計測および表示され、また、予め設定されたガス流量に応じたパルス出力が動作状態または停止状態のいずれに設定されているか、および、いずれのパルスレートに設定されているか、のパルス動作状態情報も表示される。これにより、ガスメータ１を製造する作業者等あるいはガスメータ１を一般家庭等に据付ける工事を行う作業者等は、ガスメータ自身の外観である表示手段１ｃの一部に表示されるパルス動作状態情報を確認することで、当該ガスメータのパルス出力が動作状態に設定されているか、及びいずれのパルスレートに設定されているか、を容易に判断することができる。
このように、シール等をガスメータに貼ることなく、作業者等は、ガスメータ自身の外観を確認するだけで、ガス流量の応じたパルスの出力要求に対応しているガスメータであるか否かおよびパルスレートを識別可能である。
なお図２では、パルス動作状態情報を表示手段１ｃの右上隅に表示する例を示しているが、パルス動作状態情報は、表示手段１ｃ内のいずれの位置に表示されてもよい。
【００１４】
次に、図３は端子カバー１ｅをガスメータ１から取り外した際の出力端子２０を示す斜視図である。
端子カバー１ｅを取り外した際に現れる出力端子開口部３１内には、複数の端子からなる出力端子２０が設けられている。いずれかの出力端子２０には、後述するパルス出力手段（例えばパルス出力回路）５３からの出力が接続されている。そして、パルス出力手段５３が接続された出力端子２０には、ＨＥＭＳ等に接続するための回線が接続される。当該回線は出力端子に接続されて、配線位置決め部３４の凹部に沿ってガスメータ１の外部へと導出される。
そして、端子カバー１ｅが取り付けられると、回線は配線パッキン３５と端子カバー１ｅにて挟み込まれて密封される。
【００１５】
●［ガスメータのブロック構成（図５）］
図５のブロック図に示すように、ガスメータ１は、ＣＰＵ５２（制御手段）と、流量検出手段５１と、表示手段１ｃと、パルス出力手段５３とを有している。
流量検出手段５１は、例えば、一対の超音波センサであり、ＣＰＵ５２からの制御信号に基づいて、一方から超音波を送信し、他方で超音波を受信する、そして、検出したガスの流量に応じた検出信号をＣＰＵ５２に出力する。
表示手段１ｃは例えばＬＣＤパネルであり、ＣＰＵ５２からの制御信号に基づいて、ＣＰＵ５２が算出したガスの流量に関する情報、およびパルス動作状態情報を表示する。
パルス出力手段５３は例えばパルス出力回路であり、ＣＰＵ５２からの制御信号に基づいて、ＣＰＵ５２が算出したガスの流量に応じたパルスを出力する。
ＣＰＵ５２は流量検出手段５１の検出信号に基づいてガスの流量を検出し、検出した流量に基づいたガスの積算量等を表示手段１ｃに出力する。そしてＣＰＵ５２は、パルス出力手段５３を、動作状態または停止状態のいずれかに設定可能であり、パルス出力手段５３を動作状態に設定している場合はパルス動作状態情報を表示する。
また、ガス流量に応じてパルス出力手段５３から出力されるパルス出力は、前述したようにいずれかの出力端子２０（図３参照）と回線を介してＨＥＭＳ６１等に出力される。なお、パルス出力の具体的な例を以下で説明する。
【００１６】
ここでＨＥＭＳとは一般家庭の電力等エネルギーの制御を行うシステムであり、発電設備６２からの発電電力、消費設備６３への消費エネルギー、コージェネレーション設備６４からの供給エネルギー、蓄電池６５への蓄電と蓄電池６５からの放電、商用電力網６６への売電電力と商用電力網６６からの買電電力、そして、電力制御状況の表示部６７の間のエネルギーのやり取りと、その状況の制御、管理を行うシステムである。
【００１７】
●［ＨＥＭＳへの出力（図６、図５）］
図６のグラフの横軸は時間を示しており、縦軸はガスメータ１にて計測したガス流量の累積流量を示している。
そして、グラフの下方にはパルス出力パターンの例を示している。パルス出力パターンは、予め設定された複数のパルスレートに応じて決定され、パルスレートは、例えば、「Ｐ０」、「Ｐ１」、「Ｐ２」、「Ｐ３」の４つが予め用意されている。そしてパルスレートは、ガスメータからの出力先（この例ではＨＥＭＳ）の要求に応じて選定される。なお、図６の例では、「Ｐ３」の図示は省略している。
【００１８】
パルスレート「Ｐ０」は流量1リットルにつき1パルスを出力する。
パルスレート「Ｐ１」は流量１０リットルにつき１パルスを出力する。
パルスレート「Ｐ２」は流量１００リットルにつき１パルスを出力する。
パルスレート「Ｐ３」は流量１０００リットルにつき１パルスを出力する。
このように、所定量のガスを検出する毎にパルスを出力する。
そして、例えば、作業者等がガスメータ製造工場内にて、パルス出力手段を動作状態、かつパルスレート「Ｐ１」の設定を行うと、図２の識別情報表示部２１にパルス動作状態情報としての識別情報である「Ｐ１」が表示される。
なお、パルス動作状態としての識別情報は、上記の例に示した「Ｐ１」、「Ｐ２」等に限定されず、種々の文字、数字、記号等を使用することができる。また、パルス出力手段を出力停止状態に設定した場合は、識別情報表示部２１に何も表示しないようにしてもよいし、出力停止状態に設定されていることを示す識別情報（例えば「−」や「Ｓｔｏｐ」等）を表示するようにしてもよい。なお、ガスメータ１は内蔵している電池で動作するため、特にパルス出力の必要がない家庭等に据付けるガスメータは、消費電力を低減するためにパルス出力が停止される。
【００１９】
本発明のガスメータは、本実施の形態で説明した外観、構成、処理、表示例等に限定されず、本発明の要旨を変更しない範囲で種々の変更、追加、削除が可能である。また、パルスレートは、本実施の形態にて説明した１パルス／１リットル、１パルス／１０リットル等に限定されず、種々のレートにすることができる。
また、本実施の形態の説明に用いた数値は一例であり、この数値に限定されるものではない。
【産業上の利用可能性】
【００２０】
例えば本発明のガスメータは、ＨＥＭＳだけでなくＣＥＭＳ（Ｃｏｍｍｕｎｉｔｙ  Ｅｎｅｒｇｙ  Ｍａｎａｇｅｍｅｎｔ  Ｓｙｓｔｅｍ）に適用することもできる。コミュニティ内においてより大規模なエネルギーの管理が行えるためエネルギーの無駄が減り、エネルギーの効率利用が可能となる。
【符号の説明】
【００２１】
１        ガスメータ
１ａ      ガス流入口
１ｂ      ガス流出口
１ｃ      表示手段
１ｅ      端子カバー
２０      出力端子
２１      識別情報表示部
２２      流量表示部
３１      出力端子開口部
３４      配線位置決め部
３５      配線パッキン
４０      ガスの流路
４２      計測管
４４      整流板
４５      導通路
５１      流量検出手段（超音波センサ）
５２      ＣＰＵ
５３      パルス出力手段
６１      ＨＥＭＳ
【図１】
2015078907.tif 000003
【図２】
2015078907.tif 000004
【図３】
2015078907.tif 000005
【図４】
2015078907.tif 000006
【図５】
2015078907.tif 000007
【図６】
2015078907.tif 000008